【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
約１２０℃又はそれより低い温度で約１０分以内に放射線なしで十分に架橋して、遠心保持能力試験を用いたときに少なくとも１グラム／グラムの吸収能力に到達することができる水溶性イオン系ポリマーを含有する吸収性バインダ組成物。
【請求項２】
前記水溶性イオン系ポリマーが、少なくとも約１５モルパーセントのイオン系ポリマー単位からなることを特徴とする請求項１に記載の吸収性バインダ組成物。
【請求項３】
前記イオン系ポリマーが負電荷を有することを特徴とする請求項１または請求項２のいずれかに記載の吸収性バインダ組成物。
【請求項４】
前記イオン系ポリマーがカルボキシル基含有モノマーからなることを特徴とする請求項３に記載の吸収性バインダ組成物。
【請求項５】
前記イオン系ポリマーが正電荷を有することを特徴とする請求項１または請求項２に記載の吸収性バインダ組成物。
【請求項６】
前記イオン系ポリマーが第４級アンモニウム基含有モノマーからなることを特徴とする請求項５に記載の吸収性バインダ組成物。
【請求項７】
前記イオン系ポリマーが、１）アクリロイルオキシエチル−トリアルキル置換アンモニウム塩、アクリロイルオキシプロピル−トリアルキル置換アンモニウム塩、アクリルアミドエチル−トリアルキル置換アンモニウム塩、及びアクリルアミドプロピル−トリアルキル置換アンモニウム塩からなる群から選択されたモノマーと、２）アルコキシシラン基を含有するメタクリルエステルとアルコキシシラン基を含有するアクリルエステルとからなる群から選択されたモノマーとの反応生成物からなることを特徴とする請求項５に記載の吸収性バインダ組成物。
【請求項８】
少なくとも１５重量パーセントの、カルボン酸、カルボン酸塩、スルホン酸、スルホン酸塩、リン酸、リン酸塩、及び第４級アンモニウム塩からなる群から選択されたモノエチレン系不飽和モノマーと、
ａ）共重合能力をもち、その後の反応によって水と反応してシラノール基を形成することができるシラン官能基を組み入れることができる第２モノマー、
ｂ）その後の水との反応によってシラノール官能基をもつように容易に変換される官能基を含む第２モノマー、
ｃ）これらの組み合わせ、
からなる群から選択された材料と、
を含むことを特徴とする請求項１または請求項２のいずれかに記載の吸収性バインダ組成物。
【請求項９】
前記第２モノマーは、その後の水との反応によってシラノール官能基をもつように容易に変換される官能基を含むアクリレート又はメタクリレートエステルを含むことを特徴とする請求項７に記載の吸収性バインダ組成物。
【請求項１０】
前記アクリレート又はメタクリレートエステルが、クロロシラン基とアセトキシシラン基との少なくとも１つを含むことを特徴とする請求項８に記載の吸収性バインダ組成物。
【請求項１１】
水に曝されたときに、前記アルコキシシラン官能基がシラノール官能基を形成し、それが凝縮されて架橋ポリマーが形成されることを特徴とする請求項１または請求項２に記載の吸収性バインダ組成物。
【請求項１２】
前記アルコキシシラン官能基が、トリアルコキシシラン官能基を含むことを特徴とする請求項１または請求項２に記載の吸収性バインダ組成物。
【請求項１３】
前記トリアルコキシシラン基は、以下の構造体、
【化１】
2005533921.tif 000001
を有し、式中、Ｒ１、Ｒ２及びＲ３は、別個に１から６までの炭素原子を有するアルキル基であることを特徴とする請求項１２に記載の吸収性バインダ組成物。
【請求項１４】
前記アクリレート又はメタクリレートエステルが、メタクリロキシプロピルトリメトキシシラン、メタクリロキシエチルトリメトキシシラン、メタクリロキシプロピルトリエトキシシラン、メタクリロキシプロピルトリプロポキシシラン、アクリロキシプロピルメチルジメトキシシラン、３−アクリロキシプロピルトリメトキシシラン、３−メタクリロキシプロピルメチルジエトキシシラン、３−メタクリロキシプロピルメチルジメトキシシラン、及び３−メタクリロキシプロピルトリス（メトキシエトキシ）シランの少なくとも１つからなることを特徴とする請求項８に記載の吸収性バインダ組成物。
【請求項１５】
前記第２モノマーが、共重合することができ、アミンまたはアルコールを含むことを特徴とする請求項８に記載の吸収性バインダ組成物。
【請求項１６】
前記アミンが、（３−クロロプロピル）トリメトキシシランと反応することを特徴とする請求項１５に記載の吸収性バインダ組成物。
【請求項１７】
前記アルコールが、テトラアルコキシシランと反応することを特徴とする請求項１５に記載の吸収性バインダ組成物。
【請求項１８】
前記モノエチレン系不飽和モノマーが、カルボキシル基含有モノマー、スルホン酸基含有モノマー、アミド基含有モノマーまたは第４級アンモニウム塩を含むことを特徴とする請求項８から請求項１７のいずれかに記載の吸収性バインダ組成物。
【請求項１９】
前記モノエチレン系不飽和モノマーが、カルボン酸無水物含有モノマーまたはカルボン酸塩含有モノマーを含むことを特徴とする請求項１８に記載の吸収性バインダ組成物。
【請求項２０】
前記モノエチレン系不飽和モノマーが、約２０重量％から約９９．９重量％までの間の吸収性バインダ組成物、好ましくは約３０重量％から約８０重量％までの間の吸収性バインダ組成物を含むことを特徴とする請求項８から１９のいずれかに記載の吸収性バインダ組成物。
【請求項２１】
前記第２モノマーが、約１．０重量％から約１０重量％までの間の吸収性バインダ組成物を含むことを特徴とする請求項８から２０のいずれかに記載の吸収性バインダ組成物。
【請求項２２】
オレフィングリコール単位とオレフィンオキシド単位とからなる群から選択されたモノマー単位を含む、長鎖親水性モノエチレン系不飽和エステルをさらに含むことを特徴とする請求項８から請求項１９のいずれかに記載の吸収性バインダ組成物。
【請求項２３】
約１５重量％から約９９．８重量％のモノエチレン系不飽和ポリマー単位と、アルコキシシラン官能基を含むアクリレート及びメタクリレートエステル単位からなる群から選択された約０．１重量％から約２０重量％までのエステル単位と、ポリオレフィングリコール及びポリオレフィンオキシド単位からなる群から選択された約０．１重量％から約７５重量％までの単位とを含むことを特徴とする請求項２２に記載の吸収性バインダ組成物。
【請求項２４】
約２５重量％から約８９．５重量％のモノエチレン系不飽和ポリマー単位と、アルコキシシラン官能基を含むアクリレート及びメタクリレートエステル単位からなる群から選択された約０．５重量％から約１５重量％までのエステル単位と、ポリオレフィングリコール及びポリオレフィンオキシド単位からなる群から選択された約１０重量％から約６０重量％までの単位とを含むことを特徴とする請求項２３に記載の吸収性バインダ組成物。
【請求項２５】
前記モノエチレン系不飽和ポリマー単位と、アルコキシシラン官能基を含む前記ポリアクリル酸エステル単位が共重合されることを特徴とする請求項２３または請求項２４のいずれかに記載の吸収性バインダ組成物。
【請求項２６】
ポリオレフィングリコール単位、ポリオレフィンオキシド単位、及びこれらの組み合わせからなる群から選択された少なくとも幾つかのポリマー単位が、少なくとも幾つかの前記ポリアクリル酸エステル単位と共重合されることを特徴とする請求項２３または請求項２４のいずれかに記載の吸収性バインダ組成物。
【請求項２７】
約２から約４までの炭素原子を有するオレフィンを含むポリオレフィングリコールからなることを特徴とする請求項２２から請求項２６のいずれかに記載の吸収性バインダ組成物。
【請求項２８】
請求項１から請求項２７のいずれかに記載の吸収性バインダ組成物を含む吸収性物品。
【請求項２９】
前記コーティングが、請求項１から請求項２７のいずれかに記載の吸収性バインダ組成物を含む、吸収性バインダコーティングと基体との組み合わせ。
【請求項３０】
前記吸収性バインダコーティングと前記基体との間のメッシュ層をさらに含むことを特徴とする請求項２９に記載の組み合わせ。
【請求項３１】
前記基体が、人の皮膚、布の物品、鏡、カメラ、電子ディスプレイ、窓敷居、窓枠、カテーテル、ワイヤ、プラスチックフィルム、不織ウェブ、カートンストック、食品貯蔵コンテナ、バッグ及び輸送コンテナの少なくとも１つであることを特徴とする請求項２９または請求項３０に記載の組み合わせ。
【請求項３２】
前記基体が、サージ材料、フラップ材料、外側カバー材料、ウエストバンド材料及びサイドパネルの少なくとも１つを含むことを特徴とする請求項２９又は請求項３０の組合せを含むパーソナルケア吸収性物品。
【請求項３３】
前記吸収性バインダコーティングがさらに、芳香剤、臭気吸収粒子、抗菌剤、創傷治療薬、殺真菌薬、花用防腐剤及び植物養分の少なくとも１つをさらに含むことを特徴とする請求項２９または請求項３０に記載の組み合わせ。
【請求項３４】
請求項２９または請求項３０の組み合わせを含む、創傷被覆材、マットレスパッド、医療用衣類外科用ドレープ、パッケージ材料、及び園芸用品から選択される製品。
【請求項３５】
中央領域と２つの端部領域とを有する吸収性構造体であって、
第１基体層と、
１つ又はそれ以上の所定の選択された位置で前記基体層に結合された可撓性の吸収性バインダと、
を含み、請求項１から請求項２７のいずれかに記載の吸収性バインダ組成物を架橋することによって、前記可撓性の吸収性バインダが前記選択された位置で前記基体層上に形成されることを特徴とする吸収性構造体。
【請求項３６】
前記可撓性の吸収性バインダが、前記基体の周辺部まわりに結合されて障壁を形成することを特徴とする請求項３５に記載の吸収性構造体。
【請求項３７】
前記可撓性の吸収性バインダが、前記基体上の選択された位置に結合されて、それらの間にチャネルを定めることを特徴とする請求項３５又は請求項３６に記載の吸収性構造体。
【請求項３８】
液体透過性流体受取層と、
吸収体コアと、
液体不透過性外側カバーと、
を含み、前記流体受取層と、吸収体コアと、外側カバーとの少なくとも１つが、請求項３５から請求項３７のいずれかに記載の吸収性構造体を含むことを特徴とする吸収性物品。
【請求項３９】
前記吸収体コアが前記吸収性構造体を含むことを特徴とする請求項３８に記載の吸収性物品。
【請求項４０】
前記流体受取層が前記吸収性構造体を含むことを特徴とする請求項３８に記載の吸収性物品。
【請求項４１】
前記外側カバーが前記吸収性構造体の基体層を含み、前記吸収体コアが前記基体層上に形成された可撓性の吸収性バインダを含むことを特徴とする請求項３８に記載の吸収性物品。
【請求項４２】
前記可撓性の吸収性バインダと組み合わされた超吸収体粒子をさらに含むことを特徴とする請求項３８から請求項４１のいずれかに記載の吸収性物品。
【請求項４３】
前記可撓性の吸収性バインダと組み合わされた月経血変性剤をさらに含むことを特徴とする請求項３８から請求項４１のいずれかに記載の吸収性物品。
【請求項４４】
生理用ナプキン、おむつ、トレーニングパンツ、成人失禁用衣類、及び医療用吸収性衣類からなる群から選択されることを特徴とする請求項３８から請求項４３のいずれかに記載の吸収性物品。
【請求項４５】
以下の３つの層、すなわち、
ａ）流体取込層と、
ｂ）可撓性の吸収性バインダ層と、
ｃ）支持層と、
を順番に含み、それらは互いに隣接しており、前記可撓性の吸収性バインダ層は、前記流体取込層と前記支持層との間に形成され、かつ前記流体取込層と前記支持層に結合され、前記可撓性吸収性バインダは、請求項１から請求項２７のいずれかに記載の吸収性バインダ組成物を架橋することによって形成されることを特徴とする吸収体物品。
【請求項４６】
前記流体取込層が、身体側ライナとサージ／移送層の１つを含むことを特徴とする請求項４５に記載の吸収性物品。
【請求項４７】
前記流体取込層が、穿孔フィルム、スパンボンド・ウェブ、ステープル繊維ウェブ、連続気泡発泡体、セルロース・ウェブ及びこれらの組合せからなる群から選択された材料を含むことを特徴とする請求項４５又は請求項４６に記載の吸収性物品。
【請求項４８】
前記流体取込層が網状発泡体を含むことを特徴とする請求項４７に記載の吸収性物品。
【請求項４９】
前記支持層が、外側カバーとスペーサの１つを含むことを特徴とする請求項４５から請求項４８のいずれかに記載の吸収性物品。
【請求項５０】
前記支持層が、ポリオレフィンフィルム、粒子状フィラーがブレンドされたポリオレフィンを含む通気性ポリオレフィンフィルム、通気性フィルム／不織ウェブラミネート及びこれらの組み合わせから選択された材料を含むことを特徴とする請求項４９に記載の吸収性物品。
【請求項５１】
前記吸収性物品が、おむつ、トレーニングパンツ、おむつパンツ、婦人衛生物品、成人失禁用衣類、水着衣類、及び医療用吸収性物品の１つであることを特徴とする請求項４５から請求項５０のいずれかに記載の吸収性物品。
【請求項５２】
カルボン酸、カルボン酸塩、スルホン酸、スルホン酸塩、リン酸、リン酸塩、第４級アンモニウム塩及びこれらの組み合わせからなる群から選択されたモノエチレン系不飽和ポリマーを含むモノマーと、アルコキシシラン官能基を含むアクリレート又はメタクリレートエステルとを組み合わせて、
前記モノマーと前記エステルに重合開始剤を組み合わせて、
前記吸収性バインダ組成物を得るために前記重合開始剤を活性化させ、
前記吸収性バインダ組成物の架橋を誘発させる、
ステップからなる請求項１または請求項２の吸収性バインダ組成物を製造する方法。
【請求項５３】
前記重合開始剤が、Ｏ−Ｏ結合、Ｓ−Ｓ結合、及びＮ＝Ｎ結合の少なくとも１つを含む化合物を含むことを特徴とする請求項５２に記載の方法。
【請求項５４】
前記重合開始剤が、過酸化物及びアゾ化合物の少なくとも１つを含むことを特徴とする請求項５２に記載の方法。
【請求項５５】
前記バインダ組成物の架橋を誘発させる前に、前記基体に前記バインダ組成物を適用することをさらに含むことを特徴とする請求項５２から請求項５４のいずれかに記載の方法。
【請求項５６】
カルボン酸塩、スルホン酸塩、リン酸塩、第４級アンモニウム塩、及びこれらの組み合わせからなる群から選択されたモノエチレン系不飽和モノマーと、アルコキシシラン官能基を有するアクリレート又はメタクリレートエステルを含むエチレン系不飽和モノマーと、還元重合開始剤とを含む第１水性モノマー溶液を形成し、
カルボン酸、カルボン酸塩、スルホン酸、スルホン酸塩、リン酸、リン酸塩、第４級アンモニウム塩、及びこれらの組み合わせからなる群から選択されたモノエチレン系不飽和モノマーと、酸化重合開始剤とを含む第２水性モノマー溶液を形成し、
前記第１水性モノマー溶液と前記第２水性モノマー溶液とを組み合わせる、
ステップを含み、前記還元重合開始剤が前記酸化重合開始剤と反応して吸収性バインダ組成物を形成することを特徴とする請求項５２から請求項５５のいずれかに記載の方法。
【請求項５７】
前記第１水性モノマー溶液と前記第２水性モノマー溶液の少なくとも１つが、前記モノエチレン系不飽和モノマーを少なくとも部分的に中性化させるのに有効な量の塩基性材料からなることを特徴とする請求項５６に記載の方法。
【請求項５８】
前記第１及び第２の水性モノマー溶液の少なくとも１つに界面活性剤を適用することをさらに含むことを特徴とする請求項５６又は請求項５７に記載の方法。
【請求項５９】
前記還元重合開始剤が、アスコルビン酸、アルカリ金属亜硫酸塩、アルカリ金属重亜硫酸塩、アンモニウム亜硫酸塩、アンモニウム重亜硫酸塩、アルカリ金属水素亜硫酸塩、硫酸第一鉄のような鉄類の塩、砂糖、アルデヒド、第１級及び第２級アルコール、及びこれらの組合せから選択されるものであることを特徴とする請求項５６から請求項５８に記載の方法。
【請求項６０】
前記酸化重合開始剤が、過酸化水素、アルカリ金属過硫酸塩、アンモニウム過硫酸塩、アルキルヒドロ過酸化物、パーエステル、ジアクリル過酸化物、銀塩、及びこれらの組み合わせからなる群から選択されることを特徴とする請求項５６から請求項５９のいずれかに記載の方法。
【請求項６１】
前記第１水性モノマー溶液が、アクリル酸と、３−（トリメトキシシリル）プロピルメタクリル酸塩とを含むことを特徴とする請求項５６から請求項６０のいずれかに記載の方法。
【請求項６２】
前記第２水性モノマー溶液がアクリル酸を含むことを特徴とする請求項５６から請求項６１のいずれかに記載の方法。
【請求項６３】
請求項１または請求項２のいずれかに記載の吸収性バインダ組成物を製造する方法であって、
ポリオレフィングリコール、ポリオレフィンオキシド及びこれらの組み合わせからなる群から選択された第１ポリマーを液体媒体に加え、
モノエチレン系不飽和モノマーとそれらの組合せからなる群から選択された第１モノマーを前記液体媒体に加え、
アルコキシシラン官能基を含むエチレン系不飽和モノマーとそれらの組み合わせとからなる群から選択された第２モノマーを前記液体媒体に加え、
テンプレートとして前記第１ポリマーを用いて前記第１及び第２モノマーを共重合して前記吸収性バインダ組成物を形成する、
ステップを含む方法。
【請求項６４】
前記第１ポリマーを第１液体媒体に加え、前記第１モノマーを前記第１液体媒体に加え、第２モノマーを第２液体媒体に加え、前記第１液体媒体を前記第２液体媒体と組み合わせるステップをさらに含むことを特徴とする請求項６３に記載の方法。
【請求項６５】
前記第１ポリマーを第１液体媒体に加え、前記第１モノマーを第２液体媒体に加え、前記第２モノマーを前記第１液体媒体に加え、前記第１液体媒体を前記第２液体媒体と組み合わせるステップをさらに含むことを特徴とする請求項６３に記載の方法。
【請求項６６】
前記第１ポリマーを第１液体媒体及び第２液体媒体に加え、前記第１モノマーを前記第１液体媒体に加え、前記第２モノマーを第２液体媒体に加え、前記第１液体媒体を前記第２液体媒体と組み合わせるステップをさらに含むことを特徴とする請求項６３に記載の方法。
【請求項６７】
前記第１及び第２液体媒体の一方に還元重合開始剤を加え、前記第１及び第２液体媒体の他方に酸化重合開始剤を加えるステップをさらに含むことを特徴とする請求項６３から請求項６６のいずれかに記載の方法。
【請求項６８】
約１２０℃又はそれより低い温度で放射線なしで前記吸収性バインダ組成物を架橋するステップをさらに含むことを特徴とする請求項６３から請求項６７のいずれかに記載の方法。
【請求項６９】
流体取込層を用意し、
支持層を用意し、
吸収性バインダ組成物を前記流体取込層と前記支持層との少なくとも１つに適用し、
前記吸収性バインダ組成物が前記流体取込層と前記支持層との両方に接触するように前記層を互いに移動させ、
前記吸収性バインダ組成物を架橋して、前記流体取込層と前記支持層との両方に結合される可撓性の吸収性バインダ層を与える、
ステップを含むことを特徴とする請求項４５から請求項５１のいずれかに記載の吸収体物品を製造する方法。
【請求項７０】
前記架橋が、約１２０℃又はそれより低い温度で放射線なしに行われることを特徴とする請求項６９に記載の方法。